(57)【要約】
【課題】海外に於ける携帯電話機の通話サービスに課せられる通話料金に於いて、携帯電話機への着信による最低通話料金と着信通話料金とをその携帯電話機に課金してその管理を行う課金管理制御装置を提供することを目的とする。
【解決手段】携帯電話機と通話先電話機と通話先電話機の課金管理を行う電話会社汎用機とにインターネット網を介して接続される課金管理制御装置であって、携帯電話機と通話先電話機間の通話時間を計測して発信通話料金情報を作成して課金管理データベース装置に登録する発信通話料金課金制御部と、電話会社汎用機からの最低通話料金情報と着信通話料金情報とを受信して課金管理データベース装置に登録する通話料金受信制御部とを備えていることを特徴とする。
【選択図】図１
0003099282.tif 000002
【実用新案登録請求の範囲】
【請求項１】
　利用者の携帯電話機に通信網を介して海外に於ける通話サービスを利用する為に、その携帯電話機に搭載、又は着脱自在に装着される自動接続装置を備え、前記通話サービスの際に、その自動接続装置からの課金番号と通話先電話機の電話番号とを含む発信情報を受信して前記携帯電話機での通話料金を管理すると共に、前記通話先電話機の課金管理を行う電話会社の汎用機との間で通話料金に関する情報の交換を行う課金管理制御装置であって、
　前記課金番号毎に、前記携帯電話の電話番号、前記通話サービスに係る積算発信通話時間、積算発信通話料金、及び、前記通話先電話機から前記携帯電話機への着信形態での前記汎用機からの最低通話料金情報に係る積算最低通話料金について、それらの課金管理情報を、少なくとも登録する為の課金管理データベース装置を搭載したハードディスクドライブと、
　前記自動接続装置からの前記発信情報を受信して、その発信情報の携帯電話機の電話番号と通話先電話機の電話番号とにより、その通話時間を計測し、その発信情報の課金番号とこの通話時間に相当する発信通話料金とを含む発信通話料金情報を作成して前記課金管理データベース装置に登録し、その発信情報の課金番号より前記課金管理データベース装置を検索して該当する前記課金管理情報を取得し、その課金管理情報の積算通話時間と積算通話料金とにそれぞれ前記通話時間と前記発信通話料金とを加算する発信通話料金課金制御部と、
　前記携帯電話機に係る前記汎用機からの最低通話料金情報を受信して前記課金管理データベース装置に登録し、その最低通話料金情報の携帯電話機の電話番号より前記課金管理データベース装置を検索して該当する前記課金管理情報を取得し、その課金管理情報の積算最低通話料金に前記最低通話料金情報の最低通話料金を加算する通話料金受信制御部と、
を備えていることを特徴とする、携帯電話機に係る課金管理制御装置。
【請求項２】
　前記課金管理情報は、前記課金番号毎に積算着信通話時間と積算着信通話料金とを更に含み、
　前記通話料金受信制御部は、前記携帯電話機に係る前記汎用機からの前記携帯電話機の電話番号と前記通話先電話機から前記携帯電話機への着信形態による前記通話先電話機に課金された着信通話時間と着信通話料金とを含む着信通話料金情報を受信して前記課金管理データベース装置に登録し、前記携帯電話機の電話番号より前記課金管理データベース装置を検索して該当する前記課金管理情報を取得し、その課金管理情報の積算着信通話時間と積算着信通話料金とに、それぞれ前記最低通話料金情報の着信通話時間と着信通話料金とを加算してその課金管理情報を更新することを更に備えていることを特徴とする、請求項１に記載の携帯電話機に係る課金管理制御装置。
【請求項３】
　前記課金管理制御装置は、前記携帯電話機と、前記通話サービスの通話料金を管理する管理側が備える管理端末機とに、通信網を介して更に接続され、
　前記携帯電話機、又は前記管理端末機からの検索要求信号に応答して、前記課金番号の入力を受け付けて、その課金番号より前記課金管理データベース装置を検索して該当する前記課金管理情報と前記発信通話料金情報と前記最低通話料金情報と前記着信通話料金情報とを取得してその携帯電話機、又は前記管理端末機に送信する通話料金検索制御部を更に備えていることを特徴とする、請求項２に記載の携帯電話機に係る課金管理制御装置。
【請求項４】
　前記課金管理データベース装置は、所定の国語で録音された前記通話先電話機の電話番号の指定要求を案内する音声を含む操作案内情報を更に含み、
　前記課金管理制御装置は、前記発信情報に設定される前記通話先電話機の電話番号の指定を前記携帯電話機から受け付ける際に、前記操作案内情報の音声をその携帯電話機に送信する操作案内送信制御部を更に備えていることを特徴とする、請求項１乃至請求項３の何れか１項に記載の携帯電話機に係る課金管理制御装置。
【考案の詳細な説明】
【技術分野】
【０００１】
　本考案は、ＩＴＦＳ（Ｉｎｔｅｒｎａｔｉｏｎａｌ　Ｔｏｌｌ　Ｆｒｅｅ　Ｓｅｒｖｉｃｅ：国際フリーダイヤルサービス）等の海外に於ける携帯電話機の通話サービスに課金される通話料金の管理を行う課金管理制御装置に関するものである。
【背景技術】
【０００２】
　海外の出張先等で携帯電話機を利用して国内の本社と連絡をとる必要がある利用者に対して、その海外で利用可能な携帯電話機の通話サービスが提供されている。
【０００３】
　このことに伴い、その携帯電話機に係る通話通通話料金もその携帯電話機に課金されるシステムが提供されているが、訪問する国によっては、通話相手先の電話機からその携帯電話機に着信した場合でも、その携帯電話機に最低通話料金が課せられるが、発信側のみに通話料金が課金されることが前提になっているのが現状である。
【０００４】
　又、海外に於ける携帯電話機の通話サービスを利用した課金システムの事例として、例えば、特開２００２−３５４１５７号公報に開示されている「電話転送課金システム及び電話転送課金方法」が示すように、移動機（携帯電話機）を契約している加入者（勤務者）が発信する際に発生する通話料金を、発信者や着信者に代えて第三者（勤務会社）に請求することが行われている。しかしながら、前述の問題点を解決する為の着信の際に携帯電話機に課せられた最低通話料金を把握して、その携帯電話機に課金することは行われていない。
【特許文献１】特開２００２−３５４１５７号公報
【考案の開示】
【考案が解決しようとする課題】
【０００５】
　以上のような問題を解決する為に本考案では、海外に於ける携帯電話機の通話サービスに課せられる通話料金に於いて、携帯電話機が着信を受けた場合にその携帯電話機に課せられる最低通話料金と、携帯電話機が着信を受けた場合にその通話相手先の電話機に課せられる着信通話料金とをこの携帯電話機に課金してその管理を行う課金管理制御装置を提供することを目的とする。
【課題を解決するための手段】
【０００６】
　上記目的を達成する為、請求項１に記載の考案は、利用者の携帯電話機に通信網を介して海外に於ける通話サービスを利用する為に、その携帯電話機に搭載、又は着脱自在に装着される自動接続装置を備え、前記通話サービスの際に、その自動接続装置からの課金番号と通話先電話機の電話番号とを含む発信情報を受信して前記携帯電話機での通話料金を管理すると共に、前記通話先電話機の課金管理を行う電話会社の汎用機との間で通話料金に関する情報の交換を行う課金管理制御装置であって、前記課金番号毎に、前記携帯電話の電話番号、前記通話サービスに係る積算発信通話時間、積算発信通話料金、及び、前記通話先電話機から前記携帯電話機への着信形態での前記汎用機からの最低通話料金情報に係る積算最低通話料金について、それらの課金管理情報を、少なくとも登録する為の課金管理データベース装置を搭載したハードディスクドライブと、前記自動接続装置からの前記発信情報を受信して、その発信情報の携帯電話機の電話番号と通話先電話機の電話番号とにより、その通話時間を計測し、その発信情報の課金番号とこの通話時間に相当する発信通話料金とを含む発信通話料金情報を作成して前記課金管理データベース装置に登録し、その発信情報の課金番号より前記課金管理データベース装置を検索して該当する前記課金管理情報を取得し、その課金管理情報の積算通話時間と積算通話料金とにそれぞれ前記通話時間と前記発信通話料金とを加算する発信通話料金課金制御部と、前記携帯電話機に係る前記汎用機からの最低通話料金情報を受信して前記課金管理データベース装置に登録し、その最低通話料金情報の携帯電話機の電話番号より前記課金管理データベース装置を検索して該当する前記課金管理情報を取得し、その課金管理情報の積算最低通話料金に前記最低通話料金情報の最低通話料金を加算する通話料金受信制御部と、を備えていることを特徴とする。
【０００７】
　請求項２に記載の考案は、前記課金管理情報が、前記課金番号毎に積算着信通話時間と積算着信通話料金とを更に含み、前記通話料金受信制御部が、前記携帯電話機に係る前記汎用機からの前記携帯電話機の電話番号と前記通話先電話機から前記携帯電話機への着信形態による前記通話先電話機に課金された着信通話時間と着信通話料金とを含む着信通話料金情報を受信して前記課金管理データベース装置に登録し、前記携帯電話機の電話番号より前記課金管理データベース装置を検索して該当する前記課金管理情報を取得し、その課金管理情報の積算着信通話時間と積算着信通話料金とに、それぞれ前記最低通話料金情報の着信通話時間と着信通話料金とを加算してその課金管理情報を更新することを更に備えていることを特徴とする。
【０００８】
　請求項３に記載の考案は、前記課金管理制御装置が、前記携帯電話機と、前記通話サービスの通話料金を管理する管理側が備える管理端末機とに、通信網を介して更に接続され、前記携帯電話機、又は前記管理端末機からの検索要求信号に応答して、前記課金番号の入力を受け付けて、その課金番号より前記課金管理データベース装置を検索して該当する前記課金管理情報と前記発信通話料金情報と前記最低通話料金情報と前記着信通話料金情報とを取得してその携帯電話機、又は前記管理端末機に送信する通話料金検索制御部を更に備えていることを特徴とする。
【０００９】
　請求項４に記載の考案は、前記課金管理データベース装置が、所定の国語で録音された前記通話先電話機の電話番号の指定要求を案内する音声を含む操作案内情報を更に含み、前記課金管理制御装置が、前記発信情報に設定される前記通話先電話機の電話番号の指定を前記携帯電話機から受け付ける際に、前記操作案内情報の音声をその携帯電話機に送信する操作案内送信制御部を更に備えていることを特徴とする。
【考案の効果】
【００１０】
　請求項１に記載の考案によれば、海外に於ける携帯電話機の通話サービスを利用する利用者は、通話相手先電話機から携帯電話機への着信形態に於いて、携帯電話機に課金された最低通話料金もその携帯電話機に課金することができる。
　又、携帯電話機の通話料金の課金管理を行う課金管理装置に自動接続することによってその運用を簡素化することができる。
【００１１】
　請求項２に記載の考案によれば、海外に於ける携帯電話機の通話サービスの利用の際に、その携帯電話機への着信形態に於いても、通話相手先電話機に課金された通話料金をその携帯電話機へ振り替える（着払いにする）ことができる。即ち、海外に於ける携帯電話機の通話サービスを利用する利用者は、携帯電話機への着信形態に於ける最低通話料金と、通話相手先電話機の発信形態に於ける通話料金とを携帯電話機に課金することができる。
【００１２】
　請求項３に記載の考案によれば、海外に於ける携帯電話機の通話サービスを利用する利用者側やその通話料金を管理する管理側は、利用者の通話状況やその詳細内容を再確認することができる。
【００１３】
　請求項４に記載の考案によれば、海外に於ける携帯電話機の通話サービスを利用する利用者は、国内と同様の国語による操作指示メッセージに従って、その携帯電話機を容易に操作することができる。
【考案を実施するための最良の形態】
【００１４】
　海外に於ける携帯電話機の通話サービスに課せられる通話料金に於いて、携帯電話機が着信を受けた場合にその携帯電話機に課せられる最低通話料金と、携帯電話機が着信を受けた場合にその通話相手先の電話機に課せられる着信通話料金とをこの携帯電話機に課金する目的を、本考案の課金管理制御装置と通話先電話機の課金管理を行う電話会社側の電話会社汎用機とをインターネット網を介して接続することによって実現した。
【実施例１】
【００１５】
　以下、本考案の一実施の形態を図に基づいて詳細に説明する。
　図１は本考案の海外に於ける携帯電話機の通話料金に係る課金管理制御装置を使用したシステム構成を示す模式図である。
【００１６】
　図１に示すように、海外に於ける携帯電話機１０の通話サービスを利用する利用者側が備える携帯電話機１０と、その携帯電話機１０の通話相手先側が備える携帯電話機や固定電話機等の通話先電話機１と、通話先電話機１の課金管理を行う電話会社側が備える汎用コンピュータ等の電話会社汎用機２０と、海外に於ける携帯電話機１０の通話サービスの通話料金を管理する管理側が備える管理端末機２と、これらの携帯電話機１０と通話先電話機１と電話会社汎用機２０と管理端末機２とにインターネット網３を介して接続される中継局業者側が備える複数の中継局装置３０とから構成され、複数の中継局装置３０の中には、通話料金の課金管理を行う１基の課金管理制御装置３１を含む。
【００１７】
　又、携帯電話機１０は、その携帯電話機１０に内臓、又は着脱自在に接続された自動接続装置１１を備え、この自動接続装置１１は、ＩＣチップ等の記憶装置１２を備えている。
【００１８】
　記憶装置１２には、携帯電話機１０を課金管理制御装置３１に自動接続する為の課金管理制御装置３１の電話番号と、海外に於ける携帯電話機１０の通話サービスを利用する携帯電話機１０に通話料金を課金する為の課金番号とを登録する。
【００１９】
　電話会社汎用機２０は、通話先電話機１に対する通話料金の課金管理に必要な情報を登録する為の通話料金データベース装置２１を備え、通話料金データベース装置２１は、通話料金テーブル２２を備えている。
【００２０】
　通話料金テーブル２２は、通話先電話機１に対して課金された通話料金の通話料金情報を記録するものである。通話料金情報には、通話先電話機１の電話番号と登録時刻とからなる検索キー部と、データ部に属する明細区分、通話時間、通話料金、携帯電話機１０の電話番号、登録年月日等の情報を格納する。明細区分には、「最低通話料金情報」、「着信通話料金情報」が設定される。
【００２１】
　課金管理制御装置３１は、海外に於ける携帯電話機１０の通話サービスを利用する携帯電話機１０に課金される通話料金の管理に必要な情報を登録する為の課金管理データベース装置４０と、携帯電話機１０と管理端末機２からの検索要求を受信して、課金管理データベース装置４０の検索結果を、インターネット網３を介して送信するＷｅｂサーバー３２と、課金管理データベース装置４０を管理するデータベースサーバー３３と、海外に於ける携帯電話機１０の通話サービスを利用する携帯電話機１０に対して、その通話料金の課金管理業務処理を行うアプリケーションサーバー３４とから構成される。課金管理データベース装置４０は、課金管理テーブル４１と課金明細テーブル４２とから構成される。
【００２２】
　課金管理テーブル４１は、海外に於ける携帯電話機１０の通話サービスを利用する携帯電話機１０に対して、その通話料金の課金管理を行う為の課金管理情報を記録するものである。課金管理情報には、検索キー部である課金番号と、検索キー部である携帯電話機１０の電話番号と、データ部に属する契約事業所名、担当部署、担当者名、連絡先（住所、電話番号、メールアドレス）積算発信通話時間、積算発信通話料金、積算最低通話料金、着信通話時間、着信通話料金、登録年月日等の情報を格納する。
【００２３】
　課金明細テーブル４２は、海外に於ける携帯電話機１０の通話サービスを利用する携帯電話機１０に対して、その通話料金の課金管理を行う為の課金明細情報を記録するものである。課金明細情報には、課金番号と明細区分とからなる検索キー部と、検索キー部である携帯電話機１０の電話番号と、データ部に属する通話時間、通話料金、通話先電話機１の電話番号、登録年月日等の情報を格納する。明細区分には、「発信通話料金情報」、「最低通話料金情報」、「着信通話料金情報」が設定される。明細区分に「最低通話料金情報」、「着信通話料金情報」が設定される場合は、電話会社汎用機２０から送信された最低通話料金情報と着信通話料金情報とより作成してこの課金明細情報に登録される。
【００２４】
　日本語で録音された携帯電話機１０の操作案内音声は、操作案内ファイル４３に登録されている。操作案内音声には、「通話先電話機１の電話番号の指定を要求する際、その操作案内を通知する音声」、「携帯電話機１０から入力を受け付けた課金番号が未登録の場合、その入力エラーを通知する音声」等が登録される。
【００２５】
　次に、自動接続装置１１の自動接続制御部１３と発信通話料金課金制御部５１とが情報の送受信を行う処理手順と、電話会社汎用機２０の通話料金送信制御部２３と課金管理制御装置３１の通話料金受信制御部５３とが情報の送受信を行う処理手順と、課金管理制御装置３１の通話料金検索制御部５４が、携帯電話機１０と管理端末機２からの要求信号に応答して、課金管理データベース装置４０の検索を行う処理手順について詳細に説明する。
【００２６】
　本考案の海外に於ける携帯電話機１０の通話料金課金管理システムの制御部は、自動接続装置１１の自動接続制御部１３と、電話会社汎用機２０の通話料金送信制御部２３と課金管理制御装置３１に於ける制御部５０とから構成される。
　又、課金管理制御装置３１に於ける制御部５０は、操作案内送信制御部５１、発信通話料金課金制御部５２、通話料金受信制御部５３、及び通話料金検索制御部５４から構成される。
【００２７】
　図２は、本考案である自動接続装置１１の自動接続制御部１３と電話会社汎用機２０の通話料金送信制御部２３と課金管理制御装置３１に於ける制御部５０の処理の流れ図である。
【００２８】
　自動接続制御部１３は、携帯電話機１０からの発信形態による要求信号に応答して、記憶装置１２の課金管理制御装置３１の電話番号より該当する課金管理制御装置３１に接続して、通話先電話機１の電話番号の指定を受け付けて、課金番号と通話先電話機１の電話番号とを含む発信情報を作成して課金管理制御装置３１に送信する。操作案内送信制御部５１は、携帯電話機１０からの通話先電話機１の電話番号の指定を受け付ける際に、操作案内情報の音声をその携帯電話機１０に送信する。
【００２９】
　以下に、自動接続制御部１３と操作案内送信制御部５１との処理手順を詳細に説明する。
　（１）自動接続制御部１３は、携帯電話機１０からの発信形態による要求信号に応答して、記憶装置１２に登録されている課金管理制御装置３１の電話番号と課金番号とを取得して、課金管理制御装置３１の電話番号に該当する課金管理制御装置３１に接続する。
　（２）操作案内送信制御部５１は、自動接続制御部１３からの接続要求信号に応答して、操作案内ファイル４３より「通話先電話機１の電話番号の指定を要求する際、その操作案内を通知する音声」が録音されている操作案内音声を取得し、その操作案内音声を携帯電話機１０に送信する。
　（３）自動接続制御部１３は、携帯電話機１０から通話先電話機１の電話番号の入力を受け付けて、（１）の処理で取得した課金番号より課金管理テーブル４１を検索して該当する課金管理情報を取得する。
　（４）自動接続制御部１３は、（１）の処理で取得した課金番号と、（３）の処理で入力を受け付けた通話先電話機１の電話番号と、（３）の処理で取得した課金管理情報の携帯電話機１０の電話番号とより、発信情報を作成して課金管理制御装置３１に送信する。
【００３０】
　発信通話料金課金制御部５２は、自動接続装置１１からの発信情報を受信して、その発信情報の携帯電話機１０の電話番号と通話先電話機１の電話番号とより、この携帯電話機１０と通話先電話機１間の通話時間を計測し、発信情報の課金番号とこの通話時間に相当する発信通話料金とを含む発信通話料金情報を作成して課金管理データベース装置４０に登録し、発信情報の課金番号より課金管理データベース装置４０を検索して該当する課金管理情報を取得し、その課金管理情報の積算通話時間と積算通話料金とにそれぞれ通話時間と発信通話料金とを加算してその課金管理情報を更新する。
【００３１】
　以下に、発信通話料金課金制御部５２の処理手順を詳細に説明する。
　（１）発信通話料金課金制御部５２は、課金管理制御装置３１の電源投入時に自動起動され、自動接続装置１１からの発信情報を受け付けるまでウエイトする。
　（２）ウエイトの解除後、（１）の処理で受け付けた発信情報の携帯電話機１０の電話番号と通話先電話機１の電話番号とより、この携帯電話機１０と通話先電話機１間の通話時間を計測する。
　（３）携帯電話機１０からの通話終了信号に応答して、（１）の処理で受け付けた発信情報と（２）の処理で計測した通話時間に相当する発信通話料金とより、明細区分に「発信通話料金情報」を設定した発信通話料金情報を作成して課金明細テーブル４２に登録する。
　（４）（１）の処理で受け付けた発信情報の課金番号より、課金管理テーブル４１を検索して該当する課金管理情報を取得し、その課金管理情報の積算通話時間と積算通話料金とにそれぞれ（２）の処理で計測した通話時間とそれに相当する発信通話料金とを加算してその課金管理テーブル４１を更新する。
【００３２】
　通話料金送信制御部２３は、最低通話料金情報と着信通話料金情報とを課金管理制御装置３１に送信する。
【００３３】
　以下に、通話料金送信制御部２３の処理手順を詳細に説明する。
　（１）通話料金送信制御部２３は、電話会社汎用機２０の電源投入時に自動起動され、所定の時刻が到来するまでウエイトする。
　（２）ウエイトの解除後、通話料金テーブル２２に登録されている全ての最低通話料金情報と着信通話料金情報とを課金管理制御装置３１に送信する。
【００３４】
　通話料金受信制御部５３は、電話会社汎用機２０からの最低通話料金情報と着信通話料金情報とを受信して課金管理データベース装置４０に登録し、携帯電話機１０の電話番号より課金管理データベース装置４０を検索して該当する課金管理情報を取得し、その課金管理情報の積算最低通話料金と積算着信通話時間と積算着信通話料金とに、それぞれ最低通話料金情報の最低通話料金と着信通話時間と着信通話料金とを加算してその課金管理情報を更新する。
【００３５】
　以下に、通話料金受信制御部５３の処理手順を詳細に説明する。
　（１）通話料金受信制御部５３は、課金管理制御装置３１の電源投入時に自動起動され、電話会社汎用機２０からの最低通話料金情報、又は着信通話料金情報を受け付けるまでウエイトする。
　（２）ウエイトの解除後、（１）の処理で受け付けた最低通話料金情報、又は着信通話料金情報より課金明細情報に編集して課金明細テーブル４２に登録する。
　（３）（１）の処理で最低通話料金情報を受け付けた場合は、その最低通話料金情報の携帯電話機１０の電話番号より、課金管理テーブル４１を検索して該当する課金管理情報を取得し、その課金管理情報の積算最低通話料金に、（１）の処理で受け付けた最低通話料金情報の最低通話料金を加算してその課金管理テーブル４１を更新する。
　又、（１）の処理で着信通話料金情報を受け付けた場合は、その着信通話料金情報の携帯電話機１０の電話番号より、課金管理テーブル４１を検索して該当する課金管理情報を取得し、その課金管理情報の積算着信通話時間と積算着信通話料金とに、（１）の処理で受け付けた着信通話料金情報の着信通話時間と着信通話料金とを、それぞれ加算してその課金管理テーブル４１を更新する。
【００３６】
　通話料金検索制御部５４は、携帯電話機１０、又は管理端末機２からの検索要求信号に応答して、課金番号の入力を受け付けて、その課金番号より課金管理データベース装置４０を検索して該当する課金管理情報と発信通話料金情報と最低通話料金情報と着信通話料金情報とを取得してその携帯電話機１０、又は管理端末機２に送信する。
【００３７】
　以下に、通話料金検索制御部５４の処理手順を詳細に説明する。
　（１）携帯電話機１０、又は管理端末機２からの検索要求信号に応答して、通話料金検索・課金番号入力画面を要求信号のあった携帯電話機１０、又は管理端末機２に送信する。
　（２）携帯電話機１０、又は管理端末機２からの課金番号の入力を受け付けて、その課金番号より課金管理テーブル４１と課金明細テーブル４２とを検索して該当する課金管理情報と課金明細情報とを取得して、その課金管理情報と課金明細情報の一覧とが編集されている通話料金検索画面を要求信号のあった携帯電話機１０、又は管理端末機２に送信する。
【００３８】
　以上、本考案の一実施の形態を詳細に説明したが、本考案は、本実施の形態に限られるものではない。本考案の技術的範囲から逸脱しない範囲内で多様に変更実施することが可能である。
【産業上の利用可能性】
【００３９】
　本考案は、ＩＴＦＳ等の海外に於ける携帯電話機の通話サービスに課金される通話料金の管理を行う課金管理制御装置に於いて、着信形態の通話サービスに最低通話料金が課金される場合にも適用できる。
【図面の簡単な説明】
【００４０】
【図１】本考案の携帯電話機の通話料金に係る課金管理制御装置を使用したシステム構成を示す模式図である。
【図２】本考案である自動接続装置１１の自動接続制御部１３と電話会社汎用機２０の通話料金送信制御部２３と課金管理制御装置３１に於ける制御部５０の処理の流れ図である。
【符号の説明】
【００４１】
１　　通話先電話機
２　　管理端末機
３　　インターネット網
１０　携帯電話機
１１　自動接続装置
１２　記憶装置
１３　自動接続制御部
２０　電話会社汎用機
２１　通話料金データベース装置
２２　通話料金テーブル
２３　通話料金送信制御部
３０　中継局装置
３１　課金管理制御装置
３２　Ｗｅｂサーバー
３３　データベースサーバー
３４　アプリケーションサーバー
４０　課金管理データベース装置
４１　課金管理テーブル
４２　課金明細テーブル
４３　操作案内ファイル
５０　課金管理制御装置の制御部
５１　操作案内送信制御部
５２　発信通話料金課金制御部
５３　通話料金受信制御部
５４　通話料金検索制御部
【図１】
0003099282.tif 000003
【図２】
0003099282.tif 000004